【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
薬剤ディスペンサの使用をシミュレートするための薬剤を収容しない装置であって、前記薬剤を収容しない装置は、
前記薬剤を収容しない装置に対する向きの前記薬剤ディスペンサの図を表示し、複数のユーザ動作を受信するためのユーザーインターフェースを有するディスプレイ装置と、
前記薬剤を収容しない装置の向きを検知するよう構成された向きセンサと、
プロセッサと、を備え、
前記プロセッサは、
閉じた状態のマウスピースキャップが設けられた前記薬剤ディスペンサを前記ディスプレイ装置に表示させるようにし、
前記ユーザーインターフェースによって受信された第１ユーザ動作が、表示された前記薬剤ディスペンサの前記マウスピースキャップを開いていることを表しているかどうかを判定し、
前記向きセンサからの向きデータが、前記第１ユーザ動作の受信の間の適切な向きの前記薬剤ディスペンサを表しているかどうかを判定し、
表示されている前記薬剤ディスペンサが前記第１ユーザ動作の受信の間の適切な向きであることを判定する第１通知を提供するよう構成された
ことを特徴とする薬剤を収容しない装置。
【請求項２】
前記プロセッサは、開いた状態の前記マウスピースキャップが設けられた前記薬剤ディスペンサを前記ディスプレイ装置に表示させることで、前記第１通知を提供するよう構成された
ことを特徴とする請求項１に記載の薬剤を収容しない装置。
【請求項３】
前記プロセッサは、表示されている前記薬剤ディスペンサが前記第１ユーザ動作の受信の間の不適切な向きであることを判定する第２通知を提供するよう構成された
ことを特徴とする請求項１に記載の薬剤を収容しない装置。
【請求項４】
前記プロセッサは、前記薬剤ディスペンサの適切な位置を示すビデオ又は図形を前記ディスプレイ装置に表示させることで、前記第２通知を提供するよう構成された
ことを特徴とする請求項３に記載の薬剤を収容しない装置。
【請求項５】
前記第２通知は、触覚フィードバックを備える
ことを特徴とする請求項３に記載の薬剤を収容しない装置。
【請求項６】
前記薬剤を収容しない装置は、さらに、
音響信号を検知し、検知された前記音響信号に基づいて音響データを生成するための入力装置を備え、
前記プロセッサは、さらに、
ユーザが前記入力装置に近接して吸入または吐出しすることの表示を前記ディスプレイ装置に提供させ、前記吸入または吐出しは前記音響信号を生成するよう構成し、
前記入力装置からの前記音響信号が、（ａ）吸入振幅閾値、（ｂ）吐出し振幅閾値、（ｃ）吸入持続時間閾値または（ｄ）吐出し持続時間閾値を満たすか超えるかを判定し、
前記音響データが、（ａ）前記吸入振幅閾値、（ｂ）前記吐出し振幅閾値、（ｃ）前記吸入持続時間閾値または（ｄ）前記吐出し持続時間閾値を満たすか超えるかを示す第２通知を提供するよう構成された
ことを特徴とする請求項１に記載の薬剤を収容しない装置。
【請求項７】
前記プロセッサは、さらに、
前記向きセンサからの前記向きデータが、前記音響信号の検知の間の適切な向きで表示された前記薬剤ディスペンサを表しているかどうかを判定し、
前記薬剤ディスペンサが前記音響信号の検知の間の適切な向きかどうかを示す第３通知を提供するよう構成された
ことを特徴とする請求項６に記載の薬剤を収容しない装置。
【請求項８】
前記プロセッサは、
前記ユーザーインターフェースによって受信された第２ユーザ動作が、表示された前記薬剤ディスペンサの前記マウスピースキャップを開いていることを表しているかどうかを判定し、
表示された前記薬剤ディスペンサの前記マウスピースキャップが前記第２ユーザ動作を介して閉じられているかどうかを示す第３通知を提供するよう構成された
ことを特徴とする請求項６に記載の薬剤を収容しない装置。
【請求項９】
前記吸入振幅閾値は、高二乗平均平方根（ＲＭＳ）値を備え、
前記吐出し振幅閾値は、低ＲＭＳ値を備え、
前記吸入持続時間閾値及び前記吐出し持続時間閾値は、それぞれ第１ＲＭＳ値、第２ＲＭＳ値、前記第１ＲＭＳ値を表すフィードバック信号の間の各持続時間を備える
ことを特徴とする請求項６に記載の薬剤を収容しない装置。
【請求項１０】
前記薬剤を収容しない装置が回転されるとき、表示された前記薬剤ディスペンサの前記向きは、前記薬剤を収容しない装置に対して固定され続ける
ことを特徴とする請求項１に記載の薬剤を収容しない装置。
【請求項１１】
前記プロセッサは、さらに、複数の薬剤ディスペンサを前記ディスプレイ装置に表示させ、そして、前記ユーザーインターフェースによって受信された第２ユーザ動作が、前記複数の薬剤ディスペンサからの前記薬剤ディスペンサの選択を示すことを判定するよう構成された
ことを特徴とする請求項１に記載の薬剤を収容しない装置。
【請求項１２】
薬剤を収容しない装置を介して薬剤ディスペンサをシミュレートする方法であって、前記方法は
閉じた状態のマウスピースキャップが設けられた前記薬剤ディスペンサを、前記薬剤を収容しない装置に対する向きに表示し、
ユーザーインターフェースを介して第１ユーザ動作を受信し、
前記第１ユーザ動作が、表示された前記薬剤ディスペンサの前記マウスピースを開いていることを示すかどうかを判定し、
前記薬剤を収容しない装置の向きを検知し、
検知された前記向きが、前記第１ユーザ動作の受信の間の適切な向きで表示された前記薬剤ディスペンサを示すかどうかを判定し、
表示されている前記薬剤ディスペンサが前記第１ユーザ動作の受信の間の適切な向きであることを判定する第１電子通知を提供する
ことを特徴とする方法。
【請求項１３】
前記第１電子通知は、開いた状態の前記マウスピースキャップが設けられた前記薬剤ディスペンサを表示することで提供される
ことを特徴とする請求項１２に記載の方法。
【請求項１４】
前記方法は、さらに、表示されている前記薬剤ディスペンサが前記第１ユーザ動作の受信の間の不適切な向きであることを判定する第２電子通知を提供する
ことを特徴とする請求項１２に記載の方法。
【請求項１５】
前記第２電子通知は、前記薬剤を収容しない装置の適切な位置を示すビデオ又は図形を表示することで提供される
ことを特徴とする請求項１４に記載の方法。
【請求項１６】
前記方法は、さらに、音響信号を検知し、
検知された前記音響信号に基づいて音響データを生成し、
前記音響信号を生成するよう構成された入力装置に近接して、ユーザが吸入または吐出しすることの表示を提供し、
前記音響データが、（ａ）吸入振幅閾値、（ｂ）吐出し振幅閾値、（ｃ）吸入持続時間閾値または（ｄ）吐出し持続時間閾値を満たすか超えるかを判定し、
前記音響データが、（ａ）前記吸入振幅閾値、（ｂ）前記吐出し振幅閾値、（ｃ）前記吸入持続時間閾値または（ｄ）前記吐出し持続時間閾値を満たすか超えるかを示す第２電子通知を提供する
ことを特徴とする請求項１２に記載の方法。
【請求項１７】
前記方法は、さらに、検知された前記向きが、前記音響信号の検知の間の適切な向きで表示された前記薬剤ディスペンサを示しているかどうかを判定し、
表示された前記薬剤ディスペンサが前記音響信号の検知の間の適切な向きかどうかを示す第３電子通知を提供する
ことを特徴とする請求項１６に記載の方法。
【請求項１８】
前記方法は、さらに、前記ユーザーインターフェースを介して第２ユーザ動作を受信し、
前記第２ユーザ動作が、表示された前記薬剤ディスペンサの前記マウスピースを閉じていることを表しているかどうかを判定し、
表示された前記薬剤ディスペンサの前記マウスピースキャップが前記第２ユーザ動作を介して閉じられているかどうかを示す第３電子通知を提供する
ことを特徴とする請求項１５に記載の方法。
【請求項１９】
前記方法は、さらに、前記薬剤を収容しない装置が回転される間に、表示された前記薬剤ディスペンサの前記向きを、前記薬剤を収容しない装置に対して固定し続ける
ことを特徴とする請求項１２に記載の方法。